(57)【特許請求の範囲】
【請求項１】
前面に開口が形成され、かつ内部の収納域に各種回路部が収納された本体ケースと、
自身に形成された係合片が前記本体ケースに形成された係合孔を挿通して前記本体ケースに係合され、かつ締結部材を介して前記本体ケースに締結されることにより、前記本体ケースの前面開口を閉塞する本体カバーと
を備えたインバータ装置において、
前記本体ケースと前記本体カバーとが係合する境界部分を覆う態様で配設され、かつ自身に外部衝撃が加えられた場合にその衝撃力を前記本体ケース及び前記本体カバーに分散させて伝達するカバー部材を備えたことを特徴とするインバータ装置。
【請求項２】
前記カバー部材は、前記本体ケースに取り付けられた板金部材に取り付けられ、かつ該板金部材とともにコンジット配線を取り付けるための取付板を構成することを特徴とする請求項１に記載のインバータ装置。
【発明の詳細な説明】
【技術分野】
【０００１】
本発明は、インバータ装置に関し、より詳細には、前面に開口が形成され、かつ内部の収納域に各種回路部が収納された本体ケースと、自身に形成された係合片が本体ケースに形成された係合孔を挿通して本体ケースに係合され、かつ締結部材を介して本体ケースに締結されることにより、本体ケースの前面開口を閉塞する本体カバーとを備えたインバータ装置に関するものである。
【背景技術】
【０００２】
一般的に、商用の交流電源等から交流電力を受電し、任意の周波数及び電圧の交流電力に変換して出力することにより負荷を駆動するインバータ装置が知られている。
【０００３】
このようなインバータ装置においては、所望の周波数及び電圧の交流電力を出力する主回路部の他に、与えられた指令に応じて主回路部の動作を制御する部品が実装された制御回路基板が設けられており、これら主回路部及び制御回路基板が本体ケースの収納域にそれぞれ収納され、該本体ケースの前面開口が本体カバーにより閉塞されている（例えば、特許文献１参照）。
【先行技術文献】
【特許文献】
【０００４】
【特許文献１】特開平６−３０３７７８号公報
【発明の概要】
【発明が解決しようとする課題】
【０００５】
ところで、上述した特許文献１には明確に示されていないが、本体カバーは、自身に形成された係合片が本体ケースに形成された係合孔を挿通して該本体ケースに係合され、かつ締結部材を介して本体ケースに締結されることにより、本体ケースの前面開口を閉塞する構成を有するインバータ装置が広く市場に普及している。
【０００６】
このような構成を有するインバータ装置においては、本体ケースと本体カバーとが係合する境界部分に外部衝撃が加えられた場合、係合片が係合孔から離脱して係合状態が解除され、本体ケースの内部の一部が露出してしまう虞れがあった。このような問題を解決するために、本体カバーを新たに作成することも考えられるが、新規の金型等が必要となり、結果的にコストの増大化を招来することになる。コストの増大化を抑制するためには、既存の本体カバーを用いることが好ましい。
【０００７】
本発明は、上記実情に鑑みて、既存の本体カバーを用いながら、本体ケースと本体カバーとの係合部分の耐衝撃性を向上させることができるインバータ装置を提供することを目的とする。
【課題を解決するための手段】
【０００８】
上記目的を達成するために、本発明の請求項１に係るインバータ装置は、前面に開口が形成され、かつ内部の収納域に各種回路部が収納された本体ケースと、自身に形成された係合片が前記本体ケースに形成された係合孔を挿通して前記本体ケースに係合され、かつ締結部材を介して前記本体ケースに締結されることにより、前記本体ケースの前面開口を閉塞する本体カバーとを備えたインバータ装置において、前記本体ケースと前記本体カバーとが係合する境界部分を覆う態様で配設され、かつ自身に外部衝撃が加えられた場合にその衝撃力を前記本体ケース及び前記本体カバーに分散させて伝達するカバー部材を備えたことを特徴とする。
【０００９】
また、本発明の請求項２に係るインバータ装置は、上述した請求項１において、前記カバー部材は、前記本体ケースに取り付けられた板金部材に取り付けられ、かつ該板金部材とともにコンジット配線を取り付けるための取付板を構成することを特徴とする。
【発明の効果】
【００１０】
本発明のインバータ装置によれば、カバー部材が、本体ケースと本体カバーとが係合する境界部分を覆う態様で配設され、かつ自身に外部衝撃が加えられた場合にその衝撃力を本体ケース及び本体カバーに分散させて伝達するので、既存の本体カバーを用いた場合でも、係合片が係合孔から離脱して係合状態が解除されて本体ケースの内部の一部が露出してしまう虞れがない。従って、既存の本体カバーを用いながら、本体ケースと本体カバーとの係合部分の耐衝撃性を向上させることができるという効果を奏する。
【図面の簡単な説明】
【００１１】
【図１】図１は、本発明の実施の形態であるインバータ装置の構成を示す斜視図である。
【図２】図２は、図１に示した本体ケースの内部構造を示す斜視図である。
【図３】図３は、図２に示した係合片と係合孔とを拡大して示す説明図である。
【図４】図４は、図１に示したインバータ装置を側方から見た場合を示す側面図であり、内部構造を鎖線で示している。
【発明を実施するための形態】
【００１２】
以下に添付図面を参照して、本発明に係るインバータ装置の好適な実施の形態について詳細に説明する。
【００１３】
図１は、本発明の実施の形態であるインバータ装置の構成を示す斜視図である。ここに例示するインバータ装置は、本体ケース１０と本体カバー２０とを備えて構成してある。
【００１４】
本体ケース１０は、図２に示すように、前面に開口１１が形成された筐体であり、その内部の収納域１２に制御回路基板３０が配設してある。
【００１５】
制御回路基板３０は、種々の制御回路部品が実装されており、より詳細には、与えられた指令に応じて主回路部（図示せず）の動作を制御する部品や、外部機器との接続を行う外部インターフェース部品３１等が実装されている。ここで主回路部は、本体ケース１０に収納してあり、商用電源からの供給された交流電力を所望の周波数及び電圧の交流電力に変換して出力するインバータ主回路を有したものである。また、図１中の符号１３は、冷却フィン部材である。
【００１６】
本体カバー２０は、本体ケース１０の前面開口１１を覆うのに十分な大きさを有する既存のものである。この本体カバー２０は、自身の下端部に係合片２１が形成してあり、図３に示すように、この係合片２１が本体ケース１０に形成された係合孔１４を挿通した後、図２の矢印方向に沿って揺動させて本体ケース１０に係合させている。更に、本体カバー２０の上端部をネジ等の締結部材１５（図１参照）を介して本体ケース１０に締結することにより、本体カバー２０は、本体ケース１０の前面開口１１を閉塞するものである。
【００１７】
これにより上記インバータ装置においては、本体カバー２０の下端部と本体ケース１０との境界部分が、本体ケース１０と本体カバー２０とが係合する境界部分となる。
【００１８】
上記インバータ装置においては、上記構成の他に、カバー部材４０を備えている。カバー部材４０は、例えば板金等を屈曲加工して形成したものであり、図４に示すように、本体ケース１０と本体カバー２０とが係合する境界部分を覆い、かつ該境界部分を押圧する態様でネジ等の締結部材４１を介して設けてある。このカバー部材４０は、自身に外部衝撃が加えられた場合にその衝撃力を本体ケース１０及び本体カバー２０に分散させて伝達するものである。
【００１９】
また、カバー部材４０は、図１にも示すように、本体ケース１０に取り付けられ、かつ円形状の貫通孔４２が形成された板金部材４３とネジ等の締結部材４４を介して連結してあり、かかる板金部材４３とともに、コンジット配線を取り付けるための取付板４５を構成している。
【００２０】
以上のような構成を有するインバータ装置においては、カバー部材４０が自身に外部衝撃が加えられた場合にその衝撃力を本体ケース１０及び本体カバー２０に分散させて伝達するので、既存の本体カバー２０を用いた場合でも、係合片２１が係合孔１４から離脱して係合状態が解除されて本体ケース１０の内部の一部が露出してしまう虞れがない。
【００２１】
従って、本実施の形態であるインバータ装置によれば、既存の本体カバー２０を用いながら、本体ケース１０と本体カバー２０との係合部分の耐衝撃性を向上させることができる。しかも既存の本体カバー２０を用いることができるから、コストの増大化を招来する虞れもない。
【００２２】
また、上記インバータ装置においては、カバー部材４０は、板金部材４３とともにコンジット配線を取り付けるための取付板４５を構成しているので、既存の本体カバー２０を用いながら北米規格の一種であるＵＬ認証に対応した構成を採用することができる。特に、カバー部材４０が外部衝撃による衝撃力を本体ケース１０及び本体カバー２０に分散させて伝達することから、ＵＬ認証を受ける際に必要とされるボールインパクト試験においても、鉄球が衝突することによる衝撃力を本体ケース１０及び本体カバー２０に分散させて伝達することにより、係合片２１が係合孔１４から離脱して係合状態が解除されて本体ケース１０の内部の一部が露出してしまうことを回避することができ、結果的にＵＬ認証を受けることが可能になる。
【産業上の利用可能性】
【００２３】
以上のように、本発明に係るインバータ装置は、商用電源からの供給電力に基づいて負荷を駆動するのに有用である。
【符号の説明】
【００２４】
１０  本体ケース
１１  前面開口
１２  収納域
１３  冷却フィン部材
１４  係合孔
１５  締結部材
２０  本体カバー
２１  係合片
３０  制御回路基板
４０  カバー部材
４１  締結部材
４３  板金部材
４４  締結部材
４５  取付板
【図１】
0005540974.tif 000002
【図２】
0005540974.tif 000003
【図３】
0005540974.tif 000004
【図４】
0005540974.tif 000005